(57)【要約】【課題】ＣＯ2などの大気汚染物質を含む燃焼ガスなどを発生しない省エネ型の循環給湯システムを提案すること。【解決手段】循環給湯システム１は、浴槽２の水を回収して、ろ過器７等を通してろ過した後に、熱交換器８に通して加熱し、レジオネラ菌対策用のろ過器９を通して殺菌処理し、さらに、塩素滅菌処理を行った後に再び浴槽２に戻す。浴槽２の水を加熱するために用いる原水は、原水水槽２１において水素ガスを燃料とするバーナー２５によって加熱される。水素ガスは、水素燃料ユニット２６において原水を電気分解することにより得られる。ボイラーなどのような一般的な加熱装置を用いる場合とは異なり、ＣＯ2などの大気汚染物質を含む燃焼ガスが発生せず、また、効率良く原水を加熱できる。【選択図】図１
2007298253.tif 000002
【特許請求の範囲】
【請求項１】
浴槽から回収した水に含まれている異物を除去する異物除去手段と、
異物が除去された後の水を加熱して４０℃以上の温水とする加熱手段と、
温水を塩素殺菌するための塩素滅菌手段とを有し、
塩素滅菌後の温水を前記浴槽に還流させる循環給湯システムにおいて、
前記加熱手段は、
熱媒として用いる加熱された原水と、前記浴槽から回収した水との間で熱交換を行って、当該水を加熱する熱交換器と、
水素・酸素ガス発生装置と、
この水素・酸素ガス発生装置から得られる水素ガスを燃料として用いるバーナーと、
このバーナーによって加熱された水道水、井戸水などの原水を貯留する原水水槽と、
この原水水槽から前記熱交換器に供給される前の４０〜４５℃の加熱水と、前記熱交換器から原水水槽に還流する還流水との間で熱交換を行って、前記熱交換器に供給される加熱水の温度を５０〜５５℃に高めるチラーユニットと、
を備えていることを特徴とする循環給湯システム。
【請求項２】
請求項１において、
前記熱交換器から得られる前記温水に含まれているレジオネラ菌などを殺菌する殺菌手段を有していることを特徴とする循環給湯システム。
【発明の詳細な説明】
【技術分野】
【０００１】
本発明は、温泉浴場などにおいて用いられる循環給湯システムに関し、特に、ＣＯ2などの大気汚染物質を排出することなく、浴槽に還流させる温泉水を効率良く沸かすことのできる循環給湯システムに関するものである。
【背景技術】
【０００２】
温泉浴場などに設置されている循環給湯システムは、一般に、浴槽から排出された水をろ過して異物を除去した後に、熱交換器を介して再加熱して、浴槽に還流させるように構成されている。熱交換器に供給される熱媒を加熱するためにボイラーなどの加熱装置が用いられている。
【発明の開示】
【発明が解決しようとする課題】
【０００３】
ボイラーなどの加熱装置からはＣＯ2を含む燃焼ガスが発生するので、大気汚染を防止するという観点からは好ましくない。また、ボイラーなどの燃焼装置は一般に加熱効率が悪いという問題点がある。
【０００４】
本発明の課題は、このような点に鑑みて、燃焼ガスを発生させることなく効率良く温泉水を加熱することのできる循環給湯システムを提案することにある。
【課題を解決するための手段】
【０００５】
上記の課題を解決するために、本発明は、浴槽から回収した水に含まれている異物を除去する異物除去手段と、異物が除去された後の水を加熱して４０℃以上の温水とする加熱手段と、温水を塩素殺菌するための塩素滅菌手段とを有し、塩素滅菌後の温水を前記浴槽に還流させる循環給湯システムにおいて、
前記加熱手段は、
熱媒として用いる加熱された原水と、前記浴槽から回収した水との間で熱交換を行って、当該水を加熱する熱交換器と、
水素・酸素ガス発生装置と、
この水素・酸素ガス発生装置から得られる水素燃料を用いるバーナーと、
このバーナーによって加熱された水道水、井戸水などの原水を貯留する原水水槽と、
この原水水槽から前記熱交換器に供給される４０〜４５℃の加熱水と、前記熱交換器から前記原水水槽に還流する還流水との間で熱交換を行って、前記熱交換器に供給される加熱水の温度を５０〜５５℃に高めるチラーユニットとを備えていることを特徴としている。
【０００６】
ここで、熱交換器から得られる前記温水に含まれているレジオネラ菌などを殺菌する殺菌手段を有していることが望ましい。
【発明の効果】
【０００７】
本発明の循環給湯システムでは、熱交換器の熱媒として用いる原水を加熱するための加熱源として、水素・酸素ガス発生装置と、ここから発生する水素燃料を用いるバーナーを備えている。ＣＯ2などの大気汚染物質を含む燃焼ガスを発生させることなく、しかも、効率良く原水を加熱することができる。
【発明を実施するための最良の形態】
【０００８】
以下に、図面を参照して、本発明を適用した温泉の循環給湯システムを説明する。
【０００９】
図１は本例の循環給湯システムを示す概略構成図であり、図２はその概略平面構成図である。本例の循環給湯システム１は、浴槽水循環系Ａと、浴槽水を再加熱するための原水循環系Ｂとを備えている。
【００１０】
浴槽水循環系Ａは、浴槽２の水を、循環ポンプ３を用いて、浴槽２の吸入口４から回収して給湯口５から再び浴槽２に還流させる。この循環系Ａには、循環経路に沿って、異物除去手段としてのヘアーキャッチャ６およびろ過器７と、熱交換器８と、殺菌手段としてのレジオネラ菌対策用のろ過器９と、塩素滅菌手段としての自動塩素滅菌装置１０が配置されている。
【００１１】
浴槽２の吸入口４から排出された浴槽水は、ヘアーキャッチャ６においてヘヤーが除去された後に、循環ポンプ３を介してろ過器７に供給される。ろ過器７内に充填されているろ材７ａを流下する間に、浴槽水に含まれている異物がろ過される。ろ過後の水は、熱交換器８に供給され、ここで熱交換により加熱された後に、ろ過器９を通ってレジオネラ菌の殺菌処理が行われる。そして、自動塩素滅菌装置１０によって塩素滅菌処理が行われた後に、４０〜４２℃の温水状態で給湯口５から浴槽２に供給される。
【００１２】
一方、原水循環系Ｂは、原水水槽２１に貯留されている熱媒としての原水を、循環ポンプ２２、２３を用いて、原水水槽２１の供給口２１ａから、チラーユニット２４および熱交換器８を経由した後に再びチラーユニット２４を通して、原水水槽２１の回収口２１ｂから原水水槽２１に回収する。
【００１３】
原水水槽２１にはバーナー２５が付設されており、バーナー２５によって原水水槽２１に貯留されている原水が加熱される。バーナー２５は水素ガスを燃料としており、水素ガスは水素・酸素ガス発生装置である水素燃料ユニット２６から供給される。水素燃料ユニット２６には原水が供給され、原水を電気分解することにより得られる水素ガスが燃料としてバーナー２５に供給される。
【００１４】
原水水槽２１の原水はバーナー２５によって加熱されて４０〜４５℃の温水状態で供給口２２から循環ポンプ２２を介してチラーユニット２４に供給される。チラーユニット２４において、供給された温水が、還流する原水が放出する熱によって５０〜５５℃まで過熱される。チラーユニット２４から出た温水は、循環ポンプ２３を介して、熱交換器８に供給される。熱交換器８の内部において、浴槽２から回収された浴槽水との間の熱交換によって熱を放出した後は、チラーユニット２４を経由して更に熱を放出し、２０〜３０℃程度の温度状態で回収口２１ｂから原水水槽２１に戻る。
【００１５】
ここで、水素燃料ユニット２６は、例えば、ＷＯ２００３／０４８４２４に開示の構成とすることができる。また、レジオネラ菌対策用のろ過器９は、例えば、特開２００２−１９１６８０号公報に開示の構成とすることができる。
【００１６】
以上説明したように、本例の循環給湯システム１では、浴槽水を加熱するために用いる原水を、水素燃料ユニット２６から供給される水素ガスを燃料とするバーナー２５を用いて加熱している。したがって、一般的なボイラーなどの加熱装置を用いる場合のような大気汚染物質を含む燃焼ガスが発生しない。また、効率良く原水を加熱することができる。よって、ＣＯ2などを発生しない省エネ型の循環給湯システムを実現することができる。
【図面の簡単な説明】
【００１７】
【図１】本発明を適用した循環給湯システムの概略構成図である。
【図２】図１の循環給湯システムの概略平面構成図である。
【符号の説明】
【００１８】
１    循環給湯システム
Ａ    浴槽水循環系
Ｂ    原水循環系
２    浴槽
３    循環ポンプ
４    吸入口
５    給湯口
６    ヘヤーキャッチャ
７、９    ろ過器
８    熱交換器
１０  自動塩素滅菌装置
２１  原水水槽
２１ａ  供給口
２１ｂ  回収口
２２、２３  循環ポンプ
２４  チラーユニット
２５  バーナー
２６  水素燃料ユニット
【図１】
2007298253.tif 000003
【図２】
2007298253.tif 000004
【手続補正書】
【提出日】平成18年5月23日(2006.5.23)
【手続補正１】
【補正対象書類名】図面
【補正対象項目名】全図
【補正方法】変更
【補正の内容】
【図１】
2007298253.tif 000005
【図２】
2007298253.tif 000006